(57)【要約】【課題】  弛みを伸ばして良好なシルエットを形成するとともに動いてもそのシルエットを保持することができ、かつ、締め付け感を軽減することができる着圧生成部を有する衣類を提供する。【解決手段】  着用時に筒形状となる部位を含む本体部１０１と着圧生成部１０２とを含む衣類１００であって、本体部１０１は、身体に密着するために伸縮性を有し、着圧生成部１０２は、皮膚の弛みが生じる部位の上方に、ランゲルラインに沿う方向に配置され、着圧生成部１０２の伸縮性は、着圧生成部１０２が設けられている領域の着圧を高めるために、本体部１０２の伸縮性に対し、少なくとも挿通方向に低伸縮であることを特徴とする。【選択図】  図１
2015063768.tif 000002
【特許請求の範囲】
【請求項１】
着用時に筒形状となる部位を含む本体部と着圧生成部とを含む衣類であって、
前記本体部は、身体に密着するために伸縮性を有し、
前記着圧生成部は、皮膚の弛みが生じる部位の上方に、ランゲルラインに沿う方向に配置され、
前記着圧生成部の伸縮性は、前記着圧生成部が設けられている領域の着圧を高めるために、前記本体部の伸縮性に対し、少なくとも挿通方向に低伸縮であることを特徴とする着圧生成部を有する衣類。
【請求項２】
前記着圧生成部は、着用時における身体との間の単位面積当たりの摩擦抵抗力が前記本体部よりも大きいことを特徴とする、請求項１記載の着圧生成部を有する衣類。
【請求項３】
前記衣類がボトム衣類であって、
前記着圧生成部は、前記ボトム衣類の膝上部に配置されていることを特徴とする、請求項１または２記載の着圧生成部を有する衣類。
【請求項４】
前記衣類が上半身用衣類であって、
前記着圧生成部は、前記上半身用衣類の肩甲骨の下角近傍を通るランゲルラインに沿って配置されていることを特徴とする、請求項１または２記載の着圧生成部を有する衣類。
【請求項５】
前記衣類が上半身用衣類であって、
前記着圧生成部は、前記上半身用衣類の上腕部に配置されていることを特徴とする、請求項１または２記載の着圧生成部を有する衣類。
【発明の詳細な説明】
【技術分野】
【０００１】
本発明は、着圧生成部を有する衣類に関する。
【背景技術】
【０００２】
身に着けた状態で着用部位の形状（弛み）や体型を補整する衣類においては、特定の箇所に他の部分と異なる締め付け力（着圧）を発生させて体型補整機能を与えるために、例えば、編組織に部分的な変化を与えたり、当て布を設けたりする構成が提案されている。例えば、特許文献１では、臀部に補整効果を与える衣類として、大きな着圧を生じさせて臀部に対し強力に補整効果を与える編組織部分を適切に配置することで、着用状態で臀部に食い込むことなく臀部を上方に押し上げて、臀部およびその周辺を自然な補整形状にできる衣類が提案されている。
【先行技術文献】
【特許文献】
【０００３】
【特許文献１】特開２００６−２３３３４４号公報
【発明の概要】
【発明が解決しようとする課題】
【０００４】
しかしながら、上記例等の従来の衣類においては、着用直後は補整可能であるが、動いているうちに着崩れて食い込みが生じるなどして、良好な補整形状を保つことができないという問題があった。また、着崩れを防ぐために締め付け力を強くすると、着心地が悪くなったり、かえって食い込みが発生しやすくなったりする場合がある。
【０００５】
そこで、本発明は、弛みを伸ばして良好なシルエットを形成するとともに動いてもそのシルエットを保持することができ、かつ、締め付け感を軽減することができる着圧生成部を有する衣類を提供することを目的とする。
【課題を解決するための手段】
【０００６】
前記目的を達成するために、本発明の着圧生成部を有する衣類は、着用時に筒形状となる部位を含む本体部と着圧生成部とを含む衣類であって、前記本体部は、身体に密着するために伸縮性を有し、前記着圧生成部は、皮膚の弛みが生じる部位の上方に、ランゲルラインに沿う方向に配置され、前記着圧生成部の伸縮性は、前記着圧生成部が設けられている領域の着圧を高めるために、前記本体部の伸縮性に対し、少なくとも挿通方向に低伸縮であることを特徴とする。
【発明の効果】
【０００７】
本発明の着圧生成部を有する衣類は、前記のような構成であるため、弛みを伸ばして良好なシルエットを形成するとともに動いてもそのシルエットを保持することができ、かつ、締め付け感を軽減することができる。本発明の着圧生成部を有する衣類を着用することにより、例えば、膝上や二の腕、背中等の皮膚の弛みや皺を伸ばすとともに、その状態を維持することができ、体型をすっきりさせることができる。
【図面の簡単な説明】
【０００８】
【図１】図１は、本発明の第１の実施形態に係るレギンス（ｌｅｇｇｉｎｇｓ）１００を示す図である。図１（ａ）は、レギンス１００の正面図、図１（ｂ）は、レギンス１００の背面図である。
【図２】図２は、前記第１の実施形態に係るレギンス１００の着圧のかかり方のイメージを説明する図である。図２（ａ）はレギンス１００を着用した状態を示す模式図であり、図２（ｂ）は従来の体型補整機能を有するレギンスを着用した状態を示す模式図である。
【図３】図３（ａ）〜（ｆ）は、本発明における着圧生成部のバリエーションを示す図である。
【図４】図４（ａ）および（ｂ）は、本発明の実施形態に係るレギンスの着用評価の結果を示す図である。
【図５】図５は、本発明の第２の実施形態に係るシャツ２００を示す背面図である。
【図６】図６は、前記第２の実施形態に係るシャツ２００の着用評価の結果を示す図である。
【図７】図７は、前記第２の実施形態の変形例に係るシャツの着用評価の結果を示す図である。
【図８】図８は、本発明の第３の実施形態に係るボディスーツ３００を示す背面図である。
【図９】図９は、前記第３の実施形態に係るボディスーツ３００の着用の仕方を説明する図である。
【図１０】図１０は、前記第３の実施形態に係るボディスーツ３００を着用した際の効果を示す説明図である。図１０（ａ）はヌードの状態の背面図、図１０（ｂ）は前記第３の実施形態に係るボディスーツ３００を着用した状態を示す背面図、図１０（ｃ）は従来のボディスーツを着用した状態を示す背面図である。
【図１１】図１１は、人体のランゲルラインの構成を模式的に示す図である。図１１（ａ）は、人体の一部の正面図、図１１（ｂ）は、人体の一部の背面図である。
【発明を実施するための形態】
【０００９】
本発明の着圧生成部を有する衣類について、例をあげて説明する。ただし、本発明は、以下の例に限定および制限されない。
【００１０】
（第１の実施形態）
図１に、本発明の第１の実施形態に係るレギンス１００を示す。図１（ａ）は、レギンス１００の正面図であり、図１（ｂ）は、レギンス１００の背面図である。本実施形態のレギンス１００は、着圧生成部を有する衣類であって、着用時に筒形状となる部位を含む本体部１０１と着圧生成部１０２とを含む。ここで、「着圧」とは、着用者の着用した部位にかかる圧力をいう。本実施形態においてレギンス１００は、大腿部から膝下部までを被覆しており、さらに腰部まで被覆する股付きの下肢部用衣料である。
【００１１】
本実施形態において、レギンス１００は、本体部１０１と、着圧生成部１０２とが縫着され形成されている。本体部１０１は、身体に密着するために伸縮性を有している。着圧生成部１０２は、本体部１０１の有する伸縮性に比べて、少なくとも挿通方向においては低伸縮である。レギンス１００の着用部位において、皮膚に弛みが生じやすいのは膝上部分であるが、着圧生成部１０２は、膝上の皮膚の弛みが生じる部位の上方に、大腿部前側の膝上部分のランゲルラインに沿って設けられている。なお、ここで、挿通方向とは、着圧生成部の配置部位に応じて、上半身用衣類の身頃であれば上下方向、袖であれば袖丈方向、ボトム衣類であればウエストから裾に向かう穿き込みの方向をいう。
【００１２】
図１１は、人体のランゲルラインの構成を模式的に示す図である。図１１（ａ）は、人体の一部の正面図、図１１（ｂ）は、人体の一部の背面図である。人体図中に示す線がランゲルラインである。「ランゲルライン」とは、皮膚割線のことであり、死体を直径２ｍｍの円錐状の道具で突いたときに入る直線の方向を示した線である。ランゲルラインは皮膚結合組織の走行方向と一致しており、ランゲルラインに直交する方向に皮膚の伸張性が高い（Ｃ．Ｌａｎｇｅｒ）。発明者らの研究によると、ランゲルラインに沿う方向には、相対的に皮膚が移動しにくく、ランゲルラインに対して直交する方向には、相対的に皮膚が移動し易いとの知見が得られている。
【００１３】
本発明において、着圧生成部１０２をランゲルラインに沿って配置することにより、レギンス１００を穿き込む際には、膝上周辺のランゲルラインと直交する方向である上方向に皮膚を押し上げる。ここで、着圧生成部１０２は少なくとも挿通方向（穿き込み方向）に本体部よりも低伸縮であるので、膝上の皮膚の弛みや皺を効率良く上側へと移動させることができる。一方、着用状態においても、着圧生成部１０２の長手方向がランゲルラインに沿うように配置されているため、レギンス１００がずれにくい状態となるので、穿き込み時に上へ移動させた膝上の皮膚の弛みや皺をしっかり保持することができる。したがって、弛みを伸ばして良好なシルエットを形成するとともに動いてもそのシルエットを保持することができる。また、着圧生成部１０２は、本体部１０１の筒形状の部位の全周に設ける必要がないため、締め付け感を軽減することができる。
【００１４】
図２に、本実施形態に係るレギンス１００の着圧のかかり方のイメージを説明する図を示す。図２（ａ）はレギンス１００を着用した状態を示す模式図であり、図２（ｂ）は従来の体型補整機能を有するレギンスを着用した状態を示す模式図である。図２において、矢印は着圧の方向と強さを表しており、太い矢印は着圧が強いことを示している。図２（ｂ）に示すように、従来のレギンスでは、周方向全周を締め付けるように着圧が作用しており、体型補整を行いたい箇所において着圧が強くなるように段階的に着圧を変えるなどの工夫がなされている（グラデーション効果）。しかし、周方向全周を締め付けるため、締め付け感があったり、弛みが大きい場合には食い込みが生じる場合もある。一方、図２（ａ）に示すように、本実施形態のレギンス１００では、着圧形成部１０２の位置の着圧が高まっている。発明者らが研究を重ねたところ、皮膚の弛みや皺が生じやすい部位である膝の上部に、ランゲルラインに沿って着圧形成部１０２を形成し、着用時に弛みや皺を引き上げることにより、周方向に全周を締め付けることなく体型補整機能が得られるとの知見を得た。また、この知見によれば、従来の補整機能を有する衣類のように弛みの大きい箇所に周方向に締め付け圧が作用しないため、着用時に段差や食い込みが生じにくいという利点がある。
【００１５】
本発明において、本体部１０１に使用できる素材は特に制限されないが、身体にフィットする、身体に密着する伸縮性のある素材であればよい。本体部１０１に使用できる素材としては、例えば、経編地または丸編地等が挙げられる。
【００１６】
本実施形態において、着圧生成部１０２は、滑り止め機能を有することが好ましい。前記滑り止め機能の例として、例えば、着圧生成部１０２は、着用時において、単位面積当たりの着用箇所との間の摩擦抵抗力が本体部１０１の単位面積当たりの着用箇所との間の摩擦抵抗力よりも相対的に大きいことが好ましい。この場合には、レギンス１００を着用する際に、摩擦抵抗力で膝上等の弛みや皺を持ち上げることができ、かつ、持ち上げた弛みや皺を滑らずに保持することができる。
【００１７】
本実施形態において、前記摩擦抵抗力は、着用時に膝上等の弛みや皺を持ち上げ、かつ、持ち上げた弛みや皺を保持できる程度であれば、特に制限されず、着圧生成部１０２としては、例えば、樹脂プリント、または、ナノ素材等を用いてもよい。
【００１８】
また、着圧生成部１０２を本体部１０１の編地の一部として形成する場合も考えられるが、このような場合には、本体部１０１の編組織を着圧生成部１０２に相当する領域だけ変更して形成するようにしてもよいし、着圧生成部１０２に相当する領域だけ糸種を変更するようにしてもよい。
【００１９】
本実施形態において、着圧生成部１０２は、着用時に、わたり方向に引き伸ばされるため、着圧生成部１０２には、生地が引き伸ばされた状態でも滑り止め効果を有する生地を使用することが好ましい。このような生地の例として、例えば、経編によって編成された伸縮性を有する基本組織と、圧縮力の作用によって撓みが生じると表面積が増加する特性を有する長繊維または短繊維から成る浮かし糸とで構成され、浮かし糸が基本組織に対して経方向に編み込まれる毎に異なる方向に振られ、かつ、幅方向の両端側で基本組織に編み込まれる部分以外が基本組織の表側に露出する浮かし編み（パイル）組織を備えている編地が挙げられる（以下、この編地を「素材Ｗ」ともいう。）。この素材Ｗでは、浮かし編み組織が、編地の編み込み方向と直交する方向の両端側以外では基本組織に編み込まれておらず、基本組織の表側に露出している。そのため、素材Ｗが経（編み込み）方向に引っ張られて幅方向に縮むと、浮かし糸の基本組織に編み込まれている部分以外の部分に撓みが生じ、その結果編地の表側に膨らんだ状態となる。これにより、素材Ｗは、経方向に引き伸ばされても表面積が大きい状態を保つことができるため、肌と接したときの摩擦抵抗を向上させて、滑りにくくすることができる。
【００２０】
なお、このような素材Ｗを、その経方向が本体部１０１のわたり方向に一致する、または、本体部１０１のわたり方向に沿うように配置することにより、着用状態で引き伸ばされたときも肌に接したときに高い摩擦抵抗力が生じるため、好ましい。なお、上記の浮かし糸としては、その一部または全部について長繊維または短繊維から成る外径が１μｍ以下の、いわゆるナノ繊維を用いることが考えられる。より具体的には、割繊型もしくは溶融紡糸によって形成されるナノ繊維が例として挙げられる。これにより、摩擦抵抗を大幅に向上させて滑り難くすることが考えられる。
【００２１】
本実施形態において、着圧生成部１０２は、別部材を本体部１０１に取り付けて形成されている。ただし、本発明はこれに限られず、例えば樹脂を本体部１０１に塗布して伸縮性を下げることにより着圧生成部１０２を形成してもよいし、さらには、本体部１０１の組織を部分的に変更することによって伸縮性を下げることにより着圧生成部１０２を形成してもよい。また、着圧生成部１０２は、抜染または抜蝕加工を利用して形成してもよいし、編地を形成する糸種を部分的に変更するといった手法によって編地の伸縮性を変化させることによって形成してもよい。
【００２２】
このように、本発明によれば、着圧生成部によって皮膚の弛みや皺を引き上げて保持することができるため、効果的に弛み等を伸ばして良好なシルエットを形成することができる。また、本発明によれば、動いてもそのシルエットを保持することができ、かつ、締め付け感を軽減することができる。
【００２３】
図１（ａ）に示すように、本実施形態では、着圧生成部１０２は、本体部１０１の大腿部前側の膝上部分に配置されているが、本発明はこれに限られず、ランゲルラインに沿って配置されていれば、大腿部付根付近や大腿部後側まで延びていてもよい。
【００２４】
図３に、本発明におけるレギンスの着圧生成部１０２のバリエーションの図を示す。本発明において、着圧生成部１０２は、図３（ａ）および（ｄ）に示すように、帯状の一部材で形成されていてもよいし、図３（ｂ）、（ｃ）、（ｅ）および（ｆ）に示すように、複数の帯状の部材が間隔を空けて配置されることにより構成されていてもよい。図３（ｂ）、（ｃ）、（ｅ）および（ｆ）のように、着圧生成部１０２が間隔を空けた複数の帯状の部材で構成されている場合、着圧生成部１０２が皮膚の動きに追随しやすくなるため好ましい。また、図３（ｄ）は、着圧生成部１０２が膝上の直上部のランゲルラインに沿うように形成され、図３（ａ）に示すレギンスよりも着圧生成部１０２が低い位置までしか形成されていない。図３（ａ）のように、より広範囲のランゲルラインに沿うような着圧生成部１０２とすると、図３（ｄ）に比べてより強い着圧、すなわち引き上げ力を得ることができる。このように、着圧生成部１０２のランゲルラインへの沿わせ方を調整することで、着圧の強さが異なる着圧生成部を同一の素材で形成することができる。着圧生成部１０２は、直線状に形成してもよいし、図３（ｆ）のように曲線状に形成してもよい。なお、本実施形態では、着圧生成部１０２を帯状に形成する例を挙げているが、本発明はこれに限定されるものではない。例えば、着圧生成部を、花柄、幾何柄等の各種の意匠性のあるデザインの形状としてもよい。
【００２５】
着圧生成部の幅は１．５ｃｍ〜８ｃｍが好ましく、より好ましくは、３ｃｍ〜７ｃｍである。また、着圧生成部の幅は、全体が同一の幅となるように形成してもよいし、位置によって幅を変えてもよい。
【００２６】
本実施形態において、着用時にレギンス１００が脚部に密着した状態を保持しつつ、膝上の皮膚の弛みを持ち上げていきながら着用することが可能となるよう、レギンス１００は、直接肌に触れるいわゆる直ばきタイプであることが好ましい。ただし、本発明はこれに限られず、例えば、ストッキング等を着用した上から着用するタイプのレギンスであってもよい。
【００２７】
本実施形態は、レギンスのヒップ部には本体部１０１以外には何も配置しない態様であるが、本発明はこれに限られず、例えば、ヒップアップ機能を有するガードルと本発明とを組み合わせて使用することもできる。一例として、着圧生成部をさらに本体部１０１の背面側において、着用時におけるヒップトップの位置よりも上側に、ヒップ部のランゲルラインに沿って配置すると、ヒップ上部において、ヒップを上方向に引き上げて保持することができる。このようにすると、ヒップ上部でヒップ全体を引き上げることができ、弛んだ肉が臀溝部に残らず、高いヒップアップ効果を得ることができ、よりきれいなシルエットに整えることができる。
【００２８】
（着用客観評価１）
本発明の第１の実施形態にかかるレギンス１００を作製し、着用評価を行った。本評価において、レギンス１００の着圧生成部は、図３（ｃ）に示す３本の帯状の部材が間隔を空けて配置されている態様とした。また、本評価において、着圧生成部１０２には、前記素材Ｗを使用した。本評価では、前記レギンス１００をモニターが着用して運動し、着用直後（運動前）および運動後の膝周辺の皮膚の位置を観察した。前記運動の内容は、腿を上に上げてその下で両手を合わせる運動（１セット左右１回ずつを３セット）、屈伸（３回）、前屈および後屈（各１回）とした。また、比較例として、レギンス１００と同一素材で着圧生成部を設けていないレギンス（本体部１０１のみのレギンス）についても同一のモニターが着用し、前記と同様にして、着用直後と運動後の膝周辺の皮膚の位置を観察した。
【００２９】
その結果を図４に示す。図４において、左図はヌードの状態、中央図は前記比較例のレギンスを着用した状態、右図は前記本発明のレギンス１００を着用した状態の、いずれも前記運動後の状態を示す。図４（ａ）と図４（ｂ）は別のモニターによる結果である。図４（ａ）のモニターの場合、膝上の皮膚の弛みがわずかであったため、運動後の状態に大きな差は見られなかったが、ヌードの状態に比べ、本発明のレギンス１００を着用した場合では膝周辺皮膚の位置が全体に上がっていることがわかる。また、比較例のレギンスを着用した場合では、膝上側において皮膚の位置が下がっていた。これは、運動によって着崩れが生じたことと、着圧が作用することによって押圧された皮膚が下側に移動したためと考えられる。図４（ｂ）のモニターの場合、各状態による膝周辺皮膚の位置の差が、図４（ａ）のモニターに比べ顕著だった。これは図４（ｂ）のモニターの方が、膝上の皮膚の弛み量が多かったためと考えられる。図４（ｂ）のモニターでは、本発明のレギンス１００を着用することで、膝の周辺の皮膚、とくに膝上の皮膚が、しっかりと引き上げられ、運動後も下がっていないことがわかる。これにより、本発明のレギンス１００は、弛みを引き上げて伸ばし、良好なシルエットを形成するとともに運動後もそのシルエットを保持できていることがわかった。
【００３０】
（着用主観評価１）
モニターに前記着用客観評価１で使用したものと同様の各レギンスを着用してもらった。本評価において、モニターは５名とした。その結果、本発明のレギンス１００を着用すると、比較例のレギンスと比較して、着崩れが少ないとの回答が５名中３名から得られ、残りの２名からは分からないとの回答が得られた。また、本発明のレギンス１００を着用すると、比較例のレギンスと比較して、締め付け感がないとの回答が５名中５名から得られた。また、本発明のレギンス１００を着用すると、比較例のレギンスおよびヌード状態と比較して、膝の蹴り上げがスムーズにできたとの回答が５名中５名から得られた。これにより本発明のレギンス１００は、動作がしやすく締め付け感が小さいにもかかわらず、着崩れが少なく、良好なシルエットを保持することができることが確認できた。
【００３１】
前記の結果については、次のような説明が考えられる。すなわち、屈曲等の関節の動作によって皺ができる部位の皮膚は関節から離れる傾向にあり、伸長される部位の皮膚は関節に集まる傾向にある。膝関節周辺では、膝関節が屈曲したときに正面側の皮膚の皺が伸ばされ、皮膚が突っ張った状態になり易くなる。一方、膝関節の背面側では、地面を蹴るとき等、膝関節が伸びた状態のときに、皮膚が突っ張りやすい状態が生じる。これらの皮膚の突っ張り状態によって、膝関節の可動域が狭くなったり、動作が阻害されていると考えられる。このため、これらの皮膚の突っ張り状態が緩和されたことで、膝関節の可動域が広がったり、動作がスムーズになったことが考えられる。
【００３２】
（第２の実施形態）
図５に、本発明の第２の実施形態に係るシャツ２００を示す。図５は、シャツ２００の背面図である。本実施形態のシャツ２００は、着圧生成部を有する衣類であって、着用時に筒形状となる本体部として袖部２０１を含んでいる長袖シャツ（以下「シャツ」ともいう。）である。図５に示すように、本実施形態のシャツ２００は、身頃部２０３と、一対の袖部２０１を含み、前記袖部に着圧生成部２０２を有している。本体部（袖部）２０１および着圧生成部２０２は、第１の実施形態で説明したものと同様の素材を用いることができる。なお、本実施形態では、長袖の衣類を例に挙げて説明しているが、本発明はこれに限定されない。
【００３３】
本実施形態において、皮膚の弛みが生じる部位は上腕部であり、上腕部の上方（胴体寄り）のランゲルラインに沿う方向に着圧生成部２０２が配置されている。これにより、シャツ２００の着用時に腕を袖に通す際に、上腕部の弛みが、肘の上方から肩の方向（前記ランゲルラインに直交する方向）に移動される。着用状態においても、着圧生成部２０２の長手方向がランゲルラインに沿うように配置されているため、袖部２０１がずれにくい状態となるので、着用時に上へ移動させた上腕部の弛みをしっかり保持することができる。したがって、シャツ２００を着用することで、上腕部の弛みをすっきりさせることができ、動いてもそのシルエットを保持することができる。また、着圧生成部２０２は、筒形状である袖部２０１の全周に設ける必要がないため、締め付け感を軽減することができる。
【００３４】
本発明において、身頃部２０３に使用できる素材は特に制限されず、袖部２０１と同様の、身体に密着する伸縮性のある素材であってもよいし、これ以外の素材であってもよい。
【００３５】
なお、本実施形態では、着圧生成部を有する衣類を長袖シャツ２００とした例を挙げて説明したが、本発明はこれに限定されるものではない。本発明において、前記衣類は、例えば、半袖シャツでもよいし、ジャケット等のアウターとしてもよい。これらの場合にも、本実施形態に係る長袖シャツ２００と同様の効果を得ることができる。
【００３６】
（着用客観評価２）
本発明の第２の実施形態にかかるシャツ２００を作製し、着用評価を行った。本評価において、シャツ２００の着圧生成部２０２は、図５に示す３本の帯状の部材が間隔を空けて配置されている態様とした。また、本評価において、着圧生成部２０２には、前記素材Ｗを使用し、本体部（袖部）２０１の着圧が強いものと着圧が弱いものの２水準につき、それぞれについて着圧生成部２０２の位置を肘寄りにしたものと着圧生成部２０２の位置を肩寄りにしたものを作成し、評価を行った。本評価では、前記シャツ２００をモニターが着用して運動し、着用直後（運動前）および運動後の上腕部周辺の皮膚の位置を背中側から観察した。前記運動の内容は、腿を上に上げてその下で両手を合わせる運動（１セット左右１回ずつを３セット）、前屈および後屈（各１回）、腕を上下に旋回させる運動（左右両腕各１回ずつ）とした。また、比較例として、シャツ２００と同一素材で着圧生成部を設けていないシャツについても同一のモニターが着用し、前記と同様にして、着用直後と運動後の上腕部周辺の皮膚の位置を観察した。
【００３７】
その結果を図６および図７に示す。図６は、本体部（袖部）２０１の着圧が弱いもの、図７は、本体部（袖部）２０１の着圧が強いものについて評価した結果である。図６および図７において、（ａ）はヌードの状態、（ｂ）は比較例のシャツを着用した状態、（ｃ）着圧生成部２０２の位置を肘寄りにしたシャツ２００を着用した状態、（ｄ）は着圧生成部２０２の位置を肩寄りにしたシャツ２００を着用した状態であり、各図において、左図は着用直後（運動前）の状態、右図は運動後の状態を示す。図中において、破線は着圧生成部２０２を示す。
【００３８】
本発明のシャツを着用した場合では、ヌードの状態および比較例のシャツを着用した状態に比べに比べ、本体部（袖部）２０１の着圧の強弱にかかわらず上腕部の皮膚の位置が引き上げられていることがわかる。また、着圧生成部の位置が上側（肩寄り）のシャツの方が、上腕部の皮膚の位置がより上がっていた。また、本発明のシャツ着用の場合には、運動後でも皮膚の位置が下がっていないことがわかる。これにより、本発明のシャツ２００は、弛みを引き上げて伸ばし、良好なシルエットを形成するとともに運動後もそのシルエットを保持できていることがわかった。
【００３９】
（第３の実施形態）
図８に、本発明の第３の実施形態に係るボディスーツ３００を示す。図８は、ボディスーツ３００の背面図である。本実施形態のボディスーツ３００は、着圧生成部を有する衣類であって、着用時に筒形状となるボディスーツ本体部３０１と着圧生成部３０２とを含む。ボディスーツ３００において、着圧生成部３０２は、着用時に肩甲骨の下角近傍を通るランゲルラインに沿って配置されている。ボディスーツ本体部３０１および着圧生成部３０２は、第１の実施形態で説明したものと同様の素材を用いることができる。
【００４０】
このボディスーツ３００の好ましい着用の仕方を説明する。図９に、ボディスーツ３００の着用の仕方を、左側から順に時系列で表わす図を示す。図９に示すように、ボディスーツ３００を穿き込む際には、ボディスーツ３００が背中から離れないように背中に沿わせた（密着した）状態を保持しつつ穿き込み、着用することが好ましい。こうすることによって、背中の肉が全体に持ち上がり、持ち上げた背中の肉を肩甲骨の下角近傍に位置する着圧生成部３０２によって保持するため、効果的に背中のシルエットを整えることが可能となる。
【００４１】
図１０は、第３の実施形態に係るボディスーツ３００を着用した際の効果を示す説明図である。図１０（ａ）はヌードの状態の背面図、図１０（ｂ）は前記第３の実施形態に係るボディスーツ３００を着用した状態を示す背面図、図１０（ｃ）は従来の着圧生成部を有していないボディスーツを着用した状態を示す背面図である。従来の着圧生成部を有していないボディスーツを着用した場合、ボディスーツ自体の緊締力によって若干の体型補整効果は得られているが、背中の弛みは着用後も締め付けられた状態のまま残っている。それに対し、第３の実施形態に係るボディスーツ３００着用した場合には、背中の弛みを持ち上げて保持するので、弛みの目立たないシルエットに体型を補整することができる。また、胴周りを一周締め付けるような緊締部を設ける必要がなく、着圧生成部によって背中上部で背中の肉を保持することができるため、衣類の食い込みによる段差の形成を防ぎ、また、着用時の圧迫感を軽減することができる。
【００４２】
以上、本発明の具体例として、レギンス、長袖シャツおよびボディスーツを挙げて本発明を説明したが、本発明の着圧生成部を有する衣類は、これらの具体例で記載されたもののみに限定されるものではなく、種々の態様が可能である。例えば、上記の実施形態のような衣類以外にも、タンクトップ、半袖シャツ、ボタン等で着脱が可能な上着等の衣類、肌着等、その他各種の衣類に適用できる。
【産業上の利用可能性】
【００４３】
本発明の着圧生成部を有する衣類は、弛みを伸ばして良好なシルエットを形成するとともに動いてもそのシルエットを保持することができ、かつ、締め付け感を軽減することができる。本発明は種々の態様が可能であり、例えば、上記の実施形態のような衣類以外の体型補整用衣類、スポーツ衣類、アウター、医療用衣類（サポーター）など、各種の衣類に適用できる。
【符号の説明】
【００４４】
１００  着圧生成部を有する衣類（レギンス）
２００  着圧生成部を有する衣類（長袖シャツ）
３００  着圧生成部を有する衣類（ボディスーツ）
１０１、３０１  本体部
２０１  本体部（袖部）
１０２、２０２、３０２  着圧生成部
２０３  身頃部
【図１】
2015063768.tif 000003
【図２】
2015063768.tif 000004
【図３】
2015063768.tif 000005
【図４】
2015063768.tif 000006
【図５】
2015063768.tif 000007
【図６】
2015063768.tif 000008
【図７】
2015063768.tif 000009
【図８】
2015063768.tif 000010
【図９】
2015063768.tif 000011
【図１０】
2015063768.tif 000012
【図１１】
2015063768.tif 000013